(57)【要約】【課題】任意のオブジェクトを選択して所定の２色で画像形成を行うことのできる画像形成装置を提供する。【解決手段】入力された階調表現可能な文書データをプレビューする表示手段（表示装置７）と、表示内容に基づいて、所定のオブジェクトを選択するオブジェクト選択手段（入力装置８）と、選択されたオブジェクトの色情報、位置情報、オブジェクトの順番に関する情報およびオブジェクトの種類に関する情報の少なくとも一つを記憶する記憶手段（ハードディスク２、メモリ１１）と、記憶されている情報に基づいて文書データの所定の範囲を所定の２色で画像形成可能なモノクログレースケールデータに変換する変換手段（コントローラ１３）と、変換されたモノクログレースケールデータに基づいて所定の２色で画像形成を行う画像形成手段（主要印刷部１５）とを備える。【選択図】図２
2009171254.tif 000002
【特許請求の範囲】
【請求項１】
入力された階調表現可能な文書データをプレビューする表示手段と、
該表示手段の表示内容に基づいて、所定のオブジェクトを選択するオブジェクト選択手段と、
該オブジェクト選択手段で選択されたオブジェクトの色情報、位置情報、オブジェクトの順番に関する情報およびオブジェクトの種類に関する情報の少なくとも一つを記憶する記憶手段と、
該記憶手段に記憶されている情報に基づいて前記文書データの所定の範囲を所定の２色で画像形成可能なモノクログレースケールデータに変換する変換手段と、
該変換手段で変換されたモノクログレースケールデータに基づいて前記所定の２色で画像形成を行う画像形成手段と、
を備えることを特徴とする画像形成装置。
【請求項２】
前記表示手段による前記文書データのプレビューを行うか否かを選択するプレビュー選択手段を備え、
該プレビュー選択手段でプレビューを行わないと選択された場合に、前記変換手段は、前記文書データの全体を所定の２色で画像形成可能なモノクログレースケールデータに変換することを特徴とする請求項１に記載の画像形成装置。
【請求項３】
前記オブジェクトの位置情報を取得する領域指定手段を備えることを特徴とする請求項１または請求項２の何れかに記載の画像形成装置。
【請求項４】
前記オブジェクトの順番に関する情報を取得する前記文書データの解析手段を備えることを特徴とする請求項１から請求項３の何れかに記載の画像形成装置。
【請求項５】
前記オブジェクトの種類に関する情報を取得する前記文書データの解析手段を備えることを特徴とする請求項１から請求項４の何れかに記載の画像形成装置。
【請求項６】
前記解析手段は、前記文書データに含まれるテキストデータ、イメージデータまたは図形データに関するコマンドに基づいて前記オブジェクトの種類に関する情報を取得することを特徴とする請求項５に記載の画像形成装置。
【請求項７】
前記表示手段は、前記変換手段で変換されたモノクログレースケールデータを前記所定の２色で表示することを特徴とする請求項１から請求項６の何れかに記載の画像形成装置。
【請求項８】
前記所定の２色は、赤色と黒色であることを特徴とする請求項１から請求項７の何れかに記載の画像形成装置。
【請求項９】
請求項１から請求項８の何れかに記載の１または２以上の画像形成装置と、
所定の通信手段を介して前記画像形成装置と接続される１または２以上の情報処理装置と、
から構成されることを特徴とする画像形成システム。
【請求項１０】
入力された階調表現可能な文書データをプレビューする表示過程と、
該表示過程による表示内容に基づいて、所定のオブジェクトを選択するオブジェクト選択過程と、
該オブジェクト選択過程で選択されたオブジェクトの色情報、位置情報、オブジェクトの順番に関する情報およびオブジェクトの種類に関する情報の少なくとも一つを記憶する記憶過程と、
記憶されている情報に基づいて前記文書データの所定の範囲を所定の２色で画像形成可能なモノクログレースケールデータに変換する変換過程と、
該変換過程で変換されたモノクログレースケールデータに基づいて前記所定の２色で画像形成を行う画像形成過程と、
を演算手段に実行させることを特徴とする画像形成プログラム。
【発明の詳細な説明】
【技術分野】
【０００１】
本発明は、画像形成装置、画像形成システムおよび画像形成プログラムに関するものである。
【背景技術】
【０００２】
従来からＡ０サイズ等の大判の図面などについて、所定の２色（例えば赤色と黒色）で印刷出力可能な２色印刷装置（画像形成装置）が用いられている。
【０００３】
このような２色印刷装置は、ユーザ等の要望に応じて、所定のオブジェクト（テキストや図形等）について２色の何れか（例えば赤色）を特色（スポットカラー）としてスポット的に用いて印刷することにより、図面等における所定のオブジェクトの視認性を高めたり、アピール度を向上させることができる。
【０００４】
ところで、図面やテキストを含む文書データは、フルカラープリンタなどによる印刷出力を考慮して、階調表現可能な所謂フルカラーデータとして作成されることが多い。
【０００５】
そのため、このようなフルカラーデータとしての文書データを２色印刷装置で印刷するためには、何れのオブジェクトあるいは領域を指定して、モノクログレースケールデータ（２値データ）に変換あるいは振り分けする必要がある。
【０００６】
これを実現する技術は種々提案されている。
【０００７】
例えば、特開２００２−２４０３６１号公報では、フルカラー入力データを２色画像形成可能とする手段として、フルカラーをＲＧＢ値で指定するコマンドがある範囲内と範囲外で２色の色を切り換えて描画する技術が開示されている。この従来技術では、色の範囲を複数登録でき、アプリケーションやデータの種類に応じて設定範囲を切り換えることができる。
【０００８】
しかし、この従来技術では、黒色と赤色の２色印刷をするときに、ユーザは文書データの中身を正確に把握していないと、実際に印刷を行わなければどの部分が赤色になるか知ることができないという難点がある。また、色の範囲のみで２色を切り換えるとユーザが所定の色を赤色にしたい場合にうまく範囲を指定できないことがある。
【０００９】
また、特開２００１−１９７３２４号公報には、ＲＧＢ値ではなく入力データをグレースケールデータに変換し階調値の閾値によって２色印刷する技術が開示されている。この従来技術では、指定された階調値よりも明るいデータと暗いデータに分けて２色印刷を行うことができる。また、２色に分ける対象をオブジェクトの種類（テキスト、図形、イメージなど）ごとに指定することができる。
【００１０】
しかし、この従来技術では、複数の描画オブジェクトが同じ色の同じオブジェクト種類と判断された場合にはこれらを区別して色を指定することができないという不都合がある。つまり、テキストを指定するとデータ中にある全てのテキストが指定されてしまうため、同じ色のテキストが複数ある場合に、そのうちの任意のテキストのみを赤色にすることができなかった。
【特許文献１】特開２００２−２４０３６１号公報
【特許文献２】特開２００１−１９７３２４号公報
【発明の開示】
【発明が解決しようとする課題】
【００１１】
本発明は、任意のオブジェクトを容易且つ確実に選択して所定の２色で画像形成を行うことのできる画像形成装置、画像形成システムおよび画像形成プログラムを提供することを目的とする。
【課題を解決するための手段】
【００１２】
前記課題を解決するため、請求項１の発明に係る画像形成装置は、入力された階調表現可能な文書データをプレビューする表示手段と、該表示手段の表示内容に基づいて、所定のオブジェクトを選択するオブジェクト選択手段と、該オブジェクト選択手段で選択されたオブジェクトの色情報、位置情報、オブジェクトの順番に関する情報およびオブジェクトの種類に関する情報の少なくとも一つを記憶する記憶手段と、該記憶手段に記憶されている情報に基づいて前記文書データの所定の範囲を所定の２色で画像形成可能なモノクログレースケールデータに変換する変換手段と、該変換手段で変換されたモノクログレースケールデータに基づいて前記所定の２色で画像形成を行う画像形成手段とを備えることを特徴とする。
【００１３】
請求項２の発明に係る画像形成装置は、前記表示手段による前記文書データのプレビューを行うか否かを選択するプレビュー選択手段を備え、該プレビュー選択手段でプレビューを行わないと選択された場合に、前記変換手段は、前記文書データの全体を所定の２色で画像形成可能なモノクログレースケールデータに変換することを特徴とする。
【００１４】
請求項３の発明に係る画像形成装置は、前記オブジェクトの位置情報を取得する領域指定手段を備えることを特徴とする。
【００１５】
請求項４の発明に係る画像形成装置は、前記オブジェクトの順番に関する情報を取得する前記文書データの解析手段を備えることを特徴とする。
【００１６】
請求項５の発明に係る画像形成装置は、前記オブジェクトの種類に関する情報を取得する前記文書データの解析手段を備えることを特徴とする。
【００１７】
請求項６の発明に係る画像形成装置は、前記解析手段は、前記文書データに含まれるテキストデータ、イメージデータまたは図形データに関するコマンドに基づいて前記オブジェクトの種類に関する情報を取得することを特徴とする。
【００１８】
請求項７の発明に係る画像形成装置は、前記表示手段は、前記変換手段で変換されたモノクログレースケールデータを前記所定の２色で表示することを特徴とする。
【００１９】
請求項８の発明に係る画像形成装置は、前記所定の２色は、赤色と黒色であることを特徴とする。
【００２０】
請求項９の発明に係る画像形成システムは、請求項１から請求項８の何れかに記載の１または２以上の画像形成装置と、所定の通信手段を介して前記画像形成装置と接続される１または２以上の情報処理装置とから構成されることを特徴とする。
【００２１】
請求項１０の発明に係る画像形成プログラムは、入力された階調表現可能な文書データをプレビューする表示過程と、該表示過程による表示内容に基づいて、所定のオブジェクトを選択するオブジェクト選択過程と、該オブジェクト選択過程で選択されたオブジェクトの色情報、位置情報、オブジェクトの順番に関する情報およびオブジェクトの種類に関する情報の少なくとも一つを記憶する記憶過程と、記憶されている情報に基づいて前記文書データの所定の範囲を所定の２色で画像形成可能なモノクログレースケールデータに変換する変換過程と、該変換過程で変換されたモノクログレースケールデータに基づいて前記所定の２色で画像形成を行う画像形成過程とを演算手段に実行させることを特徴とする。
【発明の効果】
【００２２】
本発明によれば以下の効果を奏することができる。
【００２３】
すなわち、請求項１に記載の発明によれば、本構成を有していない場合に比較して、オブジェクト選択手段で選択されたオブジェクトの色情報、位置情報、オブジェクトの順番に関する情報およびオブジェクトの種類に関する情報の少なくとも一つに基づいて文書データの所定の範囲を所定の２色で画像形成可能なモノクログレースケールデータに変換しているので、任意のオブジェクトを容易且つ確実に選択して所定の２色で画像形成を行うことができる。
【００２４】
請求項２に記載の発明によれば、本構成を有していない場合に比較して、プレビュー選択手段でプレビューを行わないと選択された場合に、文書データの全体を所定の２色で画像形成可能なモノクログレースケールデータに変換しているので、状況に合わせて印刷方式を切り換えることができ、利便性を向上させることができる。
【００２５】
請求項３に記載の発明によれば、本構成を有していない場合に比較して、任意のオブジェクトをより確実に選択することができる。
【００２６】
請求項４に記載の発明によれば、本構成を有していない場合に比較して、任意のオブジェクトをより確実に選択することができる。
【００２７】
請求項５に記載の発明によれば、本構成を有していない場合に比較して、任意のオブジェクトをより確実に選択することができる。
【００２８】
請求項６に記載の発明によれば、本構成を有していない場合に比較して、任意のオブジェクトをより確実に選択することができる。
【００２９】
請求項７に記載の発明によれば、本構成を有していない場合に比較して、印刷前にオブジェクトの色の振り分け状態を確認することができ、利便性を向上させることができる。
【００３０】
請求項８に記載の発明によれば、本構成を有していない場合に比較して、所定のオブジェクトを強調した画像形成を行うことができる。
【００３１】
請求項９に記載の発明によれば、本構成を有していない場合に比較して、オブジェクト選択手段で選択されたオブジェクトの色情報、位置情報、オブジェクトの順番に関する情報およびオブジェクトの種類に関する情報の少なくとも一つに基づいて文書データの所定の範囲を所定の２色で画像形成可能なモノクログレースケールデータに変換しているので、任意のオブジェクトを容易且つ確実に選択して所定の２色で画像形成を行うことができる。
【００３２】
請求項１０に記載の発明によれば、本構成を有していない場合に比較して、オブジェクト選択手段で選択されたオブジェクトの色情報、位置情報、オブジェクトの順番に関する情報およびオブジェクトの種類に関する情報の少なくとも一つに基づいて文書データの所定の範囲を所定の２色で画像形成可能なモノクログレースケールデータに変換しているので、任意のオブジェクトを容易且つ確実に選択して所定の２色で画像形成を行うことができる。
【発明を実施するための最良の形態】
【００３３】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３４】
図１から図９を参照して、本発明についての実施の形態に係る画像形成システムＳ１について説明する。
【００３５】
図１は、画像形成システムＳ１の構成を示すブロック図である。
【００３６】
図１に示すように、画像形成システムＳ１は、パーソナルコンピュータ等の情報処理装置で構成されるビューイング装置Ｖ１と、ＬＡＮ等のネットワークやローカルケーブルなどの通信回線Ｌを介して接続される画像形成装置としてのプリンタ（２色印刷装置）ＰＲ１とから構成されている。
【００３７】
なお、本実施の形態では、ビューイング装置Ｖ１、プリンタＰＲ１ともに１台ずつ接続されている場合を示しているが、これには限定されずそれぞれ２台以上を接続してもよいし、その他にネットワーク機能を有する画像入力装置（スキャナ等）などを接続してもよい。
【００３８】
また、２色プリンタＰＲ１の印刷方式は特には限定されない。
【００３９】
また、本実施の形態では、ビューイング装置Ｖ１とは別体の装置で構成されているが、プリンタＰＲ１自体がビューイング装置Ｖ１を搭載するようにしてもよい。
【００４０】
図１において、ビューイング装置Ｖ１は、液晶表示パネル等で構成されプレビューを行う表示装置７と、キーボードやマウス等のポインティングデバイスで構成される入力装置８と、記憶手段を構成するハードディスク２およびメモリ１１と、各種演算処理を行うＣＰＵと、通信回線Ｌを介してプリンタＰＲ１との間でデータの送受信を行うＵＳＢポートやネットワークポート等で構成されるインターフェイス９と、各装置間を接続するデータバスなどで構成されている。
【００４１】
ハードディスク２の中にはオペレーションシステム（ＯＳ）５と、印刷機能を有し、文書データ等を生成するソフトウェアとしてのアプリケーション４と、プリンタＰＲ１を制御するプリンタドライバ３等のプログラムやデータが格納されている。
【００４２】
プリンタＰＲ１は、通信回線Ｌを介してビューイング装置Ｖ１との間でデータの送受信を行うＵＳＢポートやネットワークポート等で構成されるインターフェイス１２と、マイクロコンピュータ等で構成され文書データを処理するデータ処理部（コントローラ）１３と、プリンタエンジン等で構成される主要印刷部１５とで構成されている。
【００４３】
そして、上記構成の画像形成システムでは、例えば、赤色と黒色による２色印刷（赤黒印刷）を行う場合に、フルカラーの入力データを表示装置７に表示させる。
【００４４】
ユーザが、あるオブジェクトを赤色による印刷（赤印刷）を行いたい場合に、表示装置７上の赤印刷したいオブジェクトを入力装置８で選択する。
【００４５】
選択されたオブジェクトの情報はビューイング装置Ｖ１がプリンタＰＲ１へ通知する。  プリンタＰＲ１は、そのオブジェクト情報から入力データ内のどのオブジェクトを赤印刷するべきか特定し、メモリ１１において赤用のページメモリにイメージを貼り付ける。  他の描画オブジェクトは、メモリ１１において黒用のページメモリにイメージを貼り付け赤黒印刷を行う。
【００４６】
ここで、図２のフローチャートと図３の説明図を参照して２色印刷処理の処理手順について説明する。
【００４７】
図２のフローチャートにおいて、２色印刷処理が開始されると、ステップＳ１００で文書データのプレビューを行うか否かが判定される。
【００４８】
そして、「Ｎｏ」の場合にはステップＳ１０１に移行して、文書データ全体をグレースケールデータに変換し、ステップＳ１０２でグレースケールデータに基づいて赤色、黒色の２色印刷を行って処理を終了する。
【００４９】
一方、ステップＳ１００で「Ｙｅｓ」と判定された場合には、ステップＳ１０３に移行して文書データのプレビューを表示装置７で行ってステップＳ１０４に移行する。
【００５０】
ステップＳ１０４では、赤印刷オブジェクトが選択されたか否かが判定される。
【００５１】
そして、「Ｎｏ」の場合にはステップＳ１０１に移行して、上述の処理が行われる。
【００５２】
また、「Ｙｅｓ」の場合にはステップＳ１０７に移行する。
【００５３】
ここで、図３の説明図を参照して、オブジェクトの選択例について説明する。
【００５４】
図３の（イ）は、表示装置７における文書データの表示状態を例示している。図３の（イ）において、表示画面は鎖線で示す境界線により６つの領域（セグメント）Ｅ１〜Ｅ６に分けられている。
【００５５】
ここで、領域Ｅ１に表示されているオブジェクトＯＢ１は、円図形を表す図形データで、例えば表示画面上は青色（ブルー：Ｂ）で表示されている。
【００５６】
また、領域Ｅ１，Ｅ２，Ｅ４，Ｅ５にまたがるオブジェクトＯＢ２は、イメージデータ（ラスタ画像）を示している。
【００５７】
また、領域Ｅ２，Ｅ５には、文字列からなるテキストデータＴ１（例えば、緑色（グリーン：Ｇ））が表示されている。
【００５８】
さらに、領域Ｅ６に表示されているオブジェクトＯＢ３は、菱形を表す図形データで、例えば表示画面上は青色（ブルー：Ｂ）で表示されている。
【００５９】
ここで、入力装置８の操作により、円（色はＲ，Ｇ，Ｂの何れか）かつ領域Ｅ１のセグメント内のみ赤色とし、テキストデータ（色はＲ，Ｇ，Ｂの何れか）を赤色とするという条件でオブジェクトを選択する。
【００６０】
上記条件によれば、図３（イ）の例では、オブジェクトＯＢ１とテキストデータＴ１が赤色とされ、他のオブジェクトＯＢ２，ＯＢ３は黒色ということになる。
【００６１】
この選択情報は、コントローラ１３に通知され、コントローラ１３の制御により、図３の（ロ）のように印刷物２００として印刷出力される。
【００６２】
（ロ）の例では、上述の選択処理に対応して、左上のオブジェクトＯＢ１’とテキストＴ１’は赤色、その他は黒色とされた２色印刷となっている。
【００６３】
図２のフローチャートの処理手順の説明に戻って、ステップＳ１０７では、選択オブジェクトの色情報（Ｒ，Ｇ，Ｂの何れか）とオブジェクトの種類（図形データ，イメージデータ，テキストデータ等）を記憶してステップＳ１０８に移行する。
【００６４】
ステップＳ１０８では、赤印刷オブジェクトの選択が完了したか否かが判定され、「Ｎｏ」の場合にはステップＳ１０７に戻り、「Ｙｅｓ」の場合にはステップＳ１０９に移行する。
【００６５】
ステップＳ１０９では、選択オブジェクト（図３の例では、オブジェクトＯＢ１とテキストデータＴ）の色情報とオブジェクトの種類（図３の例では、オブジェクトＯＢ１は図形データ等）をコントローラ１３に通知してステップＳ１０５に進む。
【００６６】
ステップＳ１０５では印刷開始が指示され、ステップＳ１０６でコントローラ１３は津位置された情報に基づいてグレースケールデータに変換した後、ステップＳ１０２に移行して２色印刷を実行する。
【００６７】
これにより、図３の（ロ）に示すような印刷物２００を得ることができる。
【００６８】
このように本実施の形態によれば、ユーザの要求に応じて赤色印刷したいオブジェクトを容易且つ的確に選択することができ、利便性を向上させることができる。
【００６９】
次に、図４のフローチャートを参照してオブジェクト判断処理の処理手順について説明する。
【００７０】
ステップＳ２００では、赤印刷したいオブジェクトを選択してステップＳ２０１に移行する。
【００７１】
ステップＳ２０１では、オブジェクトの色情報（ＲＧＢ値）とオブジェクトの種類を判別してステップＳ２０２に移行する。
【００７２】
ステップＳ２０２では、ビューイング装置Ｖ１は、オブジェクトの位置情報をある領域（図３の（イ）ではＥ１〜Ｅ６）に収まっているか否かが判定され、「Ｙｅｓ」の場合（図３の（イ）で、オブジェクトＯＢ１が領域Ｅ１に収まっているような場合）にはステップＳ２０３に移行して、オブジェクトの位置情報として１つのセグメント領域を記憶してステップＳ２０５に移行する。
【００７３】
また、「Ｎｏ」の場合（図３の（イ）で、オブジェクトＯＢ２が複数の領域にまたがっているような場合）にはステップＳ２０４に移行して、オブジェクトが完全に収まる複数のセグメント領域を記憶してステップＳ２０５に移行する。
【００７４】
ステップＳ２０５では、赤印刷オブジェクト情報として色情報、オブジェクト種類、位置情報をメモリ１１に記憶して処理を終了する。
【００７５】
ここで、図５（Ａ），（Ｂ）は、オブジェクトの取得手法を示している。
【００７６】
例えば、ユーザが赤印刷したいオブジェクトＯＢ１０，２０，３０が色情報とオブジェクト種類だけでは特定できない場合には、例えば同色で同じオブジェクト種類と判断されるオブジェクトが入力データ内にある場合は色情報とオブジェクト種類だけではユーザが選択したオブジェクトを特定できない。
【００７７】
確実にオブジェクトを特定するために位置情報をプリンタＰＲ１へ通知する。
【００７８】
位置情報は座標情報を大まかなある範囲内であるというセグメント情報で通知する。
【００７９】
オブジェクトがＯＢ１０，２０，３０複数のセグメント（Ｅ１〜Ｅ６）をまたがっている場合には、オブジェクトを含むセグメント全てを位置情報とする。
【００８０】
プリンタＰＲ１は位置情報の全てのセグメントにまたがっているものだけを赤印刷するオブジェクトと判断する。
【００８１】
次に、図６のフローチャートを参照してプリンタＰＲ１で実行される２色印刷処理の処理手順について説明する。
【００８２】
ステップＳ３００では、文書データが入力されてステップＳ３０１に移行し、２色印刷処理か否かが判定される。
【００８３】
「Ｎｏ」の場合には、ステップＳ３０７に移行して、メモリ１１内の黒用ページメモリにオブジェクトを貼り付けてステップＳ３０８に移行する。
【００８４】
「Ｙｅｓ」の場合には、ステップＳ３０２に移行して文書データの解析を行ってステップＳ３０３に移行する。
【００８５】
ステップＳ３０３では、オブジェクトの種類が選択されたか否かが判定され、「Ｎｏ」の場合にはステップＳ３０７に移行し、「Ｙｅｓ」の場合にはステップＳ３０４に移行する。
【００８６】
ステップＳ３０４では、色情報が一致するか否かが判定され、「Ｎｏ」の場合にはステップＳ３０７に移行し、「Ｙｅｓ」の場合にはステップＳ３０５に移行する。
【００８７】
ステップＳ３０５では、位置情報と描画位置が一致するか否かが判定され、「Ｎｏ」の場合にはステップＳ３０７に移行し、「Ｙｅｓ」の場合にはステップＳ３０６に移行する。
【００８８】
ステップＳ３０６では、メモリ１１内の赤用ページメモリにオブジェクトを貼り付けてステップＳ３０８に移行する。
【００８９】
ステップＳ３０８では、全データが終了したか否かが判定され、「Ｎｏ」の場合にはステップＳ３０２に戻り、「Ｙｅｓ」の場合にはステップＳ３０９に移行して印刷処理を実行して処理を終了する。
【００９０】
これにより、図３の（ロ）に示すような印刷物２００を印刷出力することができる。
【００９１】
次に、図７の説明図を参照して、他のオブジェクト取得手法について説明する。
【００９２】
例えば、ユーザが赤印刷したいオブジェクトが色情報とオブジェクト種類だけでは特定できない場合で、セグメント情報の代わりに赤印刷したいオブジェクトが入力データの何番目の描画オブジェクトであるかをプリンタＰＲ１へ通知する。
【００９３】
プリンタＰＲ１は入力データを解析する際に、描画オブジェクトをカウントしていき、通知された番号のオブジェクト（図７では、２番目のオブジェクトＯＢ２）を赤印刷するオブジェクトと判断する。
【００９４】
ここで、図８のフローチャートを参照して、上記のオブジェクト取得手法を採用した場合の２色印刷処理の処理手順について説明する。
【００９５】
ステップＳ４００では、文書データが入力されてステップＳ４０１に移行し、２色印刷処理か否かが判定される。
【００９６】
「Ｎｏ」の場合には、ステップＳ４０８に移行して、メモリ１１内の黒用ページメモリにオブジェクトを貼り付けてステップＳ４０９に移行する。
【００９７】
「Ｙｅｓ」の場合には、ステップＳ４０２に移行して文書データの解析を行ってステップＳ４０３に移行する。
【００９８】
ステップＳ４０３では、描画オブジェクトをオブジェクト種類ごとにインクリメントしてステップＳ４０４に移行する。
【００９９】
ステップＳ４０４では、オブジェクトの種類が選択されたか否かが判定され、「Ｎｏ」の場合にはステップＳ４０８に移行し、「Ｙｅｓ」の場合にはステップＳ４０５に移行する。
【０１００】
ステップＳ４０５では、色情報が一致するか否かが判定され、「Ｎｏ」の場合にはステップＳ４０８に移行し、「Ｙｅｓ」の場合にはステップＳ４０６に移行する。
【０１０１】
ステップＳ４０６では、カウント数が一致するか否かが判定され、「Ｎｏ」の場合にはステップＳ４０８に移行し、「Ｙｅｓ」の場合にはステップＳ４０７に移行する。
【０１０２】
ステップＳ４０７では、メモリ１１内の赤用ページメモリにオブジェクトを貼り付けてステップＳ４０９に移行する。
【０１０３】
ステップＳ４０９では、全データが終了したか否かが判定され、「Ｎｏ」の場合にはステップＳ４０２に戻り、「Ｙｅｓ」の場合にはステップＳ４１０に移行して印刷処理を実行して処理を終了する。
【０１０４】
これにより、図３の（ロ）に示すような印刷物２００を印刷出力することができる。
【０１０５】
次に、図９の説明図を参照して、プリンタＰＲ１への２色印刷情報の通知手法について説明する。
【０１０６】
プリンタＰＲ１へ２色印刷情報を通知する手法としては、図９の（Ａ），（Ｂ）の２通りが考えられる。
【０１０７】
図９の（Ａ）の手法では、色情報とオブジェクト種類と位置情報または描画順番は、入力データに貼り付けて一緒にプリンタＰＲ１（コントローラ１３）へ通知されている。
【０１０８】
また、図９の（Ｂ）の手法では、入力データとは別に制御データとしてプリンタプリンタＰＲ１（コントローラ１３）へ通知されている。
【０１０９】
以上述べたように本実施の形態に係る画像形成システムＳ１によれば、プレビューで文書データを事前に確認し、さらに所望のオブジェクトを選択するだけで色を変えて（例えば、赤色に変えて）強調したい部位を容易かつ的確に設定することができ、利便性を向上させることができる。
【０１１０】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０１１１】
また、プログラムを用いる場合には、ネットワークを介して提供し、或いはＣＤ−ＲＯＭ等の記録媒体に格納して提供することが可能である。
【産業上の利用可能性】
【０１１２】
本発明による画像形成装置、画像形成システムおよび画像形成プログラムは、インクジェット方式などによる２色プリンタ等に適用することができる。
【図面の簡単な説明】
【０１１３】
【図１】第１の実施の形態に係る画像形成システムＳ１の構成を示すブロック図である。
【図２】２色印刷処理の処理手順を示すフローチャートである。
【図３】オブジェクトの選択例を示す説明図である。
【図４】オブジェクト判断処理の処理手順を示すフローチャートである。
【図５】オブジェクトの取得手法を示す説明図である。
【図６】２色印刷処理の処理手順を示すフローチャートである。
【図７】オブジェクトの取得手法を示す説明図である。
【図８】２色印刷処理の処理手順を示すフローチャートである。
【図９】プリンタＰＲ１への２色印刷情報の通知手法について説明する説明図である。
【符号の説明】
【０１１４】
Ｓ１  画像形成システム
Ｖ１  ビューイング装置（情報処理装置、表示手段）
ＰＲ１  プリンタ（画像形成装置）
２  ハードディスク（記憶手段）
６  ＣＰＵ
７  表示装置（表示手段）
８  入力装置（オブジェクト選択手段、プレビュー選択手段、領域指定手段）
９  インターフェイス
１０  データバス
１１  メモリ（記憶手段）
１２  インターフェイス
１３  コントローラ（データ処理部：変換手段）
１５  主要印刷部（画像形成手段）
２００  印刷物
Ｌ  通信回線
【図１】
2009171254.tif 000003
【図２】
2009171254.tif 000004
【図４】
2009171254.tif 000005
【図６】
2009171254.tif 000006
【図８】
2009171254.tif 000007
【図９】
2009171254.tif 000008
【図３】
2009171254.tif 000009
【図５】
2009171254.tif 000010
【図７】
2009171254.tif 000011